(57)【要約】【課題】カメラ撮影において一連の操作を別々に行う手間を簡略化して操作を容易にするカメラ付き携帯端末を提供する。【解決手段】携帯端末に設けられた撮像部と、撮像部のレンズを覆うレンズカバーと、レンズカバーを移動させてレンズを露出させる開閉操作手段２６と、カメラで撮影するシャッタースイッチ２３とを備え、開閉操作手段２６は、レンズカバーを開閉させるようスライド可能に配置され、且つレンズカバー開放時にシャッタースイッチ２３を操作し得るよう構成される。これにより、レンズカバー及びシャッタースイッチ２３を連続的に操作し得るので、操作を別々に行うような手間を簡略化し、カメラ撮影の操作を容易に行うことができる。【選択図】        図１
2005043437.tif 000002
【特許請求の範囲】
【請求項１】
携帯端末に設けられた撮像部と、該撮像部のレンズを覆うレンズカバーと、該レンズカバーを移動させてレンズを露出させる開閉操作手段と、前記撮像部で撮影するシャッタースイッチとを備え、
前記開閉操作手段は、レンズカバー開放時にシャッタースイッチを操作し得るよう構成されたことを特徴とするカメラ付き携帯端末。
【請求項２】
前記開閉操作手段は、レンズカバー開放時とレンズカバー閉鎖時で携帯端末上の２点間をスライド可能に配置される請求項１記載のカメラ付き携帯端末。
【請求項３】
前記開閉操作手段は、携帯端末の外部に位置してスライドする操作ノブと、該操作ノブのスライドに連動してレンズカバーを開閉させると共に操作ノブでシャッタースイッチを押し得るよう操作ノブを配置させる連動部材とを備えた請求項２記載のカメラ付き携帯端末。
【請求項４】
前記操作ノブは、シャッタースイッチを押し得るよう連動部材に対して回転可能に配置された請求項３記載のカメラ付き携帯端末。
【請求項５】
前記携帯端末に、操作ノブが位置する操作ノブ用プレートを備え、前記操作ノブ用プレートは、操作ノブをスライド可能にするスライド孔と、操作ノブを連動部材に対して回転可能にする段差とを備えた請求項３又は４記載のカメラ付き携帯端末。
【請求項６】
前記レンズカバーの開閉を検出するレンズカバー開閉検出スイッチを備えた請求項１〜５のいずれかに記載のカメラ付き携帯端末。
【請求項７】
前記シャッタースイッチは、レンズカバー開閉検出スイッチを兼用するよう構成された請求項１〜６のいずれかに記載のカメラ付き携帯端末。
【請求項８】
前記操作ノブは、スライドによりレンズカバー開閉検出スイッチを押し得るよう斜面形状の押圧部を備えた請求項３〜７のいずれかに記載のカメラ付き携帯端末。
【発明の詳細な説明】
【０００１】
【発明の属する技術分野】
本発明は、撮像部のレンズカバーを備えたカメラ付き携帯端末に関するものである。
【０００２】
【従来の技術】
近年、携帯電話、ＰＨＳ（簡易型携帯電話）等の小型の携帯端末の中には、所望時にカメラ撮影し得るよう携帯端末に撮像部を備えたものがある、撮像部を備えた携帯端末の一例を折り畳みタイプで示すと、携帯端末の画面表示部側の筺体には、撮像部のレンズを開閉し得るレンズカバーと、撮影可能な状態にする特定のキーと、カメラ撮影するシャッタースイッチとを備えている。撮像部を使用する場合には、レンズカバーを手動でスライドさせてレンズを露出し、携帯端末を折り畳み状態から開くと共に特定のキーによりカメラモードにし、シャッタースイッチによりカメラ撮影している。又、撮像部を使用しない場合には、レンズカバーを逆方向へ手動でスライドさせてレンズを覆い隠し、レンズを保護する状態にすると共に携帯端末を折り畳んで通常待ち受け状態にしている。ここで、レンズカバーを開閉する具体的な例としては液晶表示カメラに備えられるものがあり、シャッタースイッチと別に設けられたモードスイッチをＯＰＥＮとＣＬＯＳＥの位置にスライドしてレンズカバーを開閉している（例えば、特許文献１参照。）。
【０００３】
【特許文献１】
特開平１０−１９１１１５号公報
【０００４】
【発明が解決しようとする課題】
しかしながら、従来の携帯端末によりカメラ撮影する際には、レンズカバーの移動、折り畳み状態からの開くための動作、特定キーの操作及びシャッタースイッチの操作を別々に行うため、手間がかかるという問題があった。
【０００５】
本発明は、斯かる実情に鑑み、カメラ撮影において一連の操作を別々に行う手間を簡略化して操作を容易にするカメラ付き携帯端末を提供しようとするものである。
【０００６】
【課題を解決するための手段】
本発明の請求項１は、携帯端末に設けられた撮像部と、該撮像部のレンズを覆うレンズカバーと、該レンズカバーを移動させてレンズを露出させる開閉操作手段と、前記撮像部で撮影するシャッタースイッチとを備え、
前記開閉操作手段は、レンズカバー開放時にシャッタースイッチを操作し得るよう構成されたことを特徴とするカメラ付き携帯端末、にかかるものである。
【０００７】
本発明の請求項２は、前記開閉操作手段は、レンズカバー開放時とレンズカバー閉鎖時で携帯端末上の２点間をスライド可能に配置される請求項１記載のカメラ付き携帯端末、にかかるものである。
【０００８】
本発明の請求項３は、前記開閉操作手段は、携帯端末の外部に位置してスライドする操作ノブと、該操作ノブのスライドに連動してレンズカバーを開閉させると共に操作ノブでシャッタースイッチを押し得るよう操作ノブを配置させる連動部材とを備えた請求項２記載のカメラ付き携帯端末、にかかるものである。
【０００９】
本発明の請求項４は、前記操作ノブは、シャッタースイッチを押し得るよう連動部材に対して回転可能に配置された請求項３記載のカメラ付き携帯端末、にかかるものである。
【００１０】
本発明の請求項５は、前記携帯端末に、操作ノブが位置する操作ノブ用プレートを備え、前記操作ノブ用プレートは、操作ノブをスライド可能にするスライド孔と、操作ノブを連動部材に対して回転可能にする段差とを備えた請求項３又は４記載のカメラ付き携帯端末、にかかるものである。
【００１１】
本発明の請求項６は、前記レンズカバーの開閉を検出するレンズカバー開閉検出スイッチを備えた請求項１〜５のいずれかに記載のカメラ付き携帯端末、にかかるものである。
【００１２】
本発明の請求項７は、前記シャッタースイッチは、レンズカバー開閉検出スイッチを兼用するよう構成された請求項１〜６のいずれかに記載のカメラ付き携帯端末、にかかるものである。
【００１３】
本発明の請求項８は、前記操作ノブは、スライドによりレンズカバー開閉検出スイッチを押し得るよう斜面形状の押圧部を備えた請求項３〜７のいずれかに記載のカメラ付き携帯端末、にかかるものである。
【００１４】
撮像部を使用する際には、レンズカバーを開閉操作手段の操作ノブ及び連動部材により移動させてレンズを露出し、操作ノブによりシャッタースイッチを押してカメラ撮影をする。撮像部を使用しない場合には、レンズカバーを開閉操作手段の操作ノブ及び連動部材により逆方向へ移動させてレンズを覆い隠す。
【００１５】
このように、本発明によれば、カメラ撮影する際には、開閉操作手段によりレンズカバー及びシャッタースイッチを連続的に操作し得るので、操作を別々に行うような手間を簡略化し、カメラ撮影の操作を容易に行うことができる。
【００１６】
前記操作ノブは、シャッタースイッチを押し得るよう連動部材に対して回転可能に配置されると、レンズカバーを開放してからシャッタースイッチを押すまでの操作を更に連続的にするので、カメラ撮影の操作を一層容易に行うことができる。
【００１７】
前記携帯端末に、操作ノブが位置する操作ノブ用プレートを備え、前記操作ノブ用プレートは、操作ノブをスライド可能にするスライド孔と、操作ノブを連動部材に対して回転可能にする段差とを備えると、操作ノブの操作を妨げることなく、好適に行い得るので、カメラ撮影の操作を容易且つ確実に行うことができる。
【００１８】
前記レンズカバーの開閉を検出するレンズカバー開閉検出スイッチを備えると、レンズカバーの開閉を好適に検出し得るので、カメラ撮影の操作を確実に行うことができる。
【００１９】
前記シャッタースイッチは、レンズカバー開閉検出スイッチを兼用するよう構成されると、レンズカバーの開閉の検出とカメラ撮影を一つのスイッチで為し得るので、部品点数を削減し、製造コストを低減することができる。
【００２０】
前記操作ノブは、スライドによりレンズカバー開閉検出スイッチを押し得るよう斜面形状の押圧部を備えると、操作ノブをスライドさせることにより押圧部がレンズカバー開閉検出スイッチを押し得るので、レンズカバーの開閉の検出を容易に行うことができる。
【００２１】
【発明の実施の形態】
以下本発明の実施の形態を図示例と共に説明する。
【００２２】
図１〜図２２は本発明を適用する折り畳みタイプのカメラ付き携帯端末の一例を示すもので、カメラ付き携帯端末１は、図６及び図７のように背面側に撮像部１ａのレンズ２及びミラー３を備えると共に図２のように正面側に画面表示部４を備える筺体５と、入力キー６を備える筺体７とで構成される折り畳みタイプであり、筺体５に備えられる撮像部１ａのレンズ２及びミラー３は、互いに隣接するよう一枚の設置盤８の表面に設けられており、設置盤８は、筺体５の外側ケース９と内側ケース１０に挟み込まれることによって筺体５の内部に配置され、外側ケース９に所定の開放窓１１を形成することにより図４のようにレンズ２及びミラー３を外部へ露出している。ここで、ミラー３は、撮像部１ａで自分自身を撮影する際に自分自身がどのような状態で撮影されるか確認するためのものである。
【００２３】
設置盤８には、筺体５の内側でレンズ２及びミラー３を覆い得るよう外側ケース９の開放窓１１より一回り大きいレンズカバー１２を備え、レンズカバー１２は、レンズ２とミラー３を備えた設置盤８の表面に対して略平行移動するよう開閉駆動機構１３に接続されている。開閉駆動機構１３（図８、図１７、図１８）は、レンズカバー１２の台部となる所定長さのスライダ１４と、スライダ１４に駆動ピン１５を介して係合し且つ設置盤８の回転支持軸１６により設置盤８の表面で揺動し得るよう形成された第一のアーム部１７と、第一のアーム部１７に連動して揺動するよう設置盤８の裏面で回転支持軸１６に接続され且つ設置盤８の側方外部へ延在して設置盤８の側方外部位置に上方へ突設する凸部１８を備える第二のアーム部１９と、凸部１８に接するよう延在部２０を備えて設置盤８に支持されるスプリング２１とを備えている。ここで、第一のアーム部１７は、駆動ピン１５を一端に配置すると共に回転支持軸１６を他端に配置し、第二のアーム部１９は、回転支持軸１６を一端に配置すると共に凸部１８を他端に配置している。又、第一のアーム部１７と第二のアーム部１９は、回転支持軸１６を介して略直線上に配置されると共に、第一のアーム部１７の長さを第二のアーム部１９の長さよりも長く形成しており、回転支持軸１６を支点とするよう第一のアーム部１７及び第二のアーム部１９を揺動させた際には、凸部１８の移動量に対して駆動ピン１５の移動量が大きくなるよう構成されている。
【００２４】
設置盤８の側部には、筺体５の内部で外方へ向かう凸状のボタン２２を備えるシャッタースイッチ２３を図１及び図６のように配置しており、シャッタースイッチ２３は、レンズカバー１２の開閉を検出するようレンズカバー開閉検出スイッチを兼用し、第一段目の押下をレンズカバー開閉検出スイッチの操作とし、第二段目の押下をシャッタのスイッチの操作としている。
【００２５】
図６、図７のように設置盤８の中途位置には、スライダ１４に当接して、レンズカバー１２を、レンズ２及びミラー３を覆う所定位置に停止させる凸状の上方停止ガイド部（図示せず）を備え、設置盤８の下部には、移動したレンズカバー１２を、レンズ２及びミラー３を露出させる位置に停止させる凸状の下方停止ガイド部２４を備え、設置盤８の側部には、レンズカバー１２が移動する際に、スライダ１４の端部が接触してレンズカバー１２の移動姿勢を制御するようレンズカバー１２の移動方向に沿って形成された凸状の制御ガイド部２５を備えている。又、設置盤８を挟み込む外側ケース９には、レンズカバー１２に当接して、レンズカバー１２を、レンズ２及びミラー３を覆う位置に停止させるスポンジ製のケース側停止ガイド部４０を備えている。ここで、スポンジ製のケース側停止ガイド部４０は、外側ケース９の内壁に取り付けられるもので、外側ケース９を内側ケース１０に嵌めると図示のような配置となるものであり、又、カメラ付き携帯端末１の着信時に振動体（いわゆる着信報知用バイブレータ、図示せず）の振動によって発生するレンズカバー１２の振動音（いわゆるビビリ音）を防止するよう構成されており、振動音防止用の停止ガイド部材の材質には、振動防止に効果のある弾性体をスポンジやゴム等から適宜選択して用いることが好ましい。
【００２６】
第二のアーム部１９の凸部１８には、開閉操作手段２６の連動部材２７を接続しており、連動部材２７は、図８〜図１１のように凸部１８を挟み込む腕部２８と、設置盤８の突出部２９に接触して移動方向に規制するよう腕部２８より延在する制御部３０と、腕部２８の外方側で立設する軸部３１とを備えている。又、連動部材２７の軸部３１には、開閉操作手段２６の操作ノブ３２を備えており、操作ノブ３２は、連動部材２７の軸部３１に回転可能に外嵌される軸部ホルダ３３と、連動部材２７を揺動させるよう軸部ホルダ３３を介して筺体５の側部外面でスライド可能に配置される操作ノブ本体３４と、シャッタースイッチ２３に対応するよう操作ノブ本体３４から突出する斜面形状の押圧部３５とを備えている。更に、操作ノブ３２が位置する携帯端末の所定場所には、筺体５の側部外面と一体化する操作ノブ用プレート３６を備え、図１、図１３、図１４に示すように操作ノブ用プレート３６は、操作ノブ３２を筺体５の側部外面でスライド可能にするよう、軸部ホルダ３３を通す第一のスライド孔３７と、押圧部３５を通す第二のスライド孔３８とを備えると共に、シャッタースイッチ２３を押し得るよう操作ノブ３２を連動部材２７に対して回転可能に配置する段差３９を形成している。
【００２７】
一方、設置盤８の裏面支持部に支持されるスプリング２１は、複数の屈曲点２１ａを形成しており、第二のアーム部１９の凸部１８もしくは第一のアーム部１７の凸部（図示せず）が屈曲点２１ａを超えた際には、スプリング２１の弾性により第二のアーム部１９及び第一のアーム部１７を所定の移動方向に余勢するよう構成されている。
【００２８】
以下、本発明のカメラ付き携帯端末を実施する形態例の作用を説明する。
【００２９】
カメラ付き携帯端末１の撮像部１ａを使用するようレンズを露出する場合には、初めに、開閉操作手段２６の操作ノブ３２を手動で開放側へスライド（図１５、図１８）させることにより、連動部材２７、凸部１８を介して、第二のアーム部１９及び第一のアーム部１７を揺動させ、更に第一のアーム部１７の揺動によりスライダ１４を介してレンズカバー１２を操作ノブ３２の反スライド側へ移動させ、撮像部１ａのレンズ２とミラー３を露出（図１６、図１７）する。ここで、開閉操作手段２６の操作ノブ３２を開放側にスライドさせた際には、凸部１８がスプリング２１を摺動し、凸部１８の移動位置が屈曲点を超えた時点でスプリング２１の弾性力により凸部１８を一側へ摺動させて第二のアーム部１９、第一のアーム部１７及びレンズカバー１２を全開放側へ余勢する。なお、凸部１８の移動位置が屈曲点２１ａを超えない時点で操作ノブ３２のスライドを停止した場合には、スプリング２１の弾性力により凸部１８が逆方向に摺動し、凸部１８を介して第二のアーム部１９、第一のアーム部１７及びレンズカバー１２を全閉止側へ戻す。
【００３０】
又、レンズを露出させるよう操作ノブ３２をスライドさせた際には、図１９、図２０のように操作ノブ３２の押圧部３５がシャッタースイッチ２３を第一段目まで押圧してレンズカバー開閉検出スイッチをＯＮにし、図２２のフローのように、着信を待ち受けている通常待ち受け状態（ステップ１０１）からステップ１０２を経てカメラモード（ステップ１０３）になる。又、レンズ２を露出させる位置まで操作ノブ３２をスライドしない状態では、押圧部３５がシャッタースイッチ２３を第一段目まで押圧しないので、ステップ１０２にてレンズカバー開閉検出スイッチがＯＦＦであるとして、図２２のフローのように、通常待ち受け状態（ステップ１０１）に戻る。なお、携帯端末は、折り畳んだ状態として筺体５と筺体７を閉じたままの状態でも良いし、展開した状態として筺体５と筺体７を開いた状態でもよい。
【００３１】
次に、レンズを露出させてカメラ撮影する場合には、レンズ２を撮影対照物に向け、操作ノブ３２を、軸部ホルダ３３を介して周方向に回転（図２１）させることにより、押圧部３５を介しシャッタースイッチ２３を第二段目まで押してカメラ撮影する。ここで、カメラ撮影した際には、図２２のフローのように、ステップ１０４において、シャッタースイッチ２３の第二段目の押下によりシャッタースイッチ２３をＯＮにした後、再びカメラ撮影し得るよう直ちにカメラモード（ステップ１０３）に戻ると共にシャッタースイッチ２３を第二段目から第一段目まで戻している。又、レンズを露出させた状態でカメラ撮影をしない場合には、シャッタースイッチ２３の第一段目の押下をそのまま維持して、シャッタースイッチ２３をＯＦＦのまま（ステップ１０４でＯＦＦ）にすると共にレンズカバー開閉検出スイッチをＯＮ（ステップ１０５でＯＮ）にしてカメラモード（ステップ１０３）に戻す。なお、カメラモード中にも携帯端末１は着信を待ち受ける待ち受け状態にあり、カメラモード中に発着信も通話も行える。
【００３２】
カメラ付き携帯端末の撮像部１ａを使用しない場合には、開閉操作手段２６の操作ノブ３２を手動で閉止側へスライド（図１７）させることにより、連動部材２７、凸部１８を介して、第二のアーム部１９及び第一のアーム部１７を逆方向へ揺動させ、更に第一のアーム部１７の逆方向の揺動によりスライダ１４を介してレンズカバー１２を操作ノブ３２の反スライド側へ移動させ、開放窓１１を塞ぐと共にレンズ２とミラー３を覆い隠す。ここで、開閉操作手段２６の操作ノブ３２を手動で閉止側にスライドさせた際には、凸部１８がスプリング２１を摺動し、凸部１８の移動位置が屈曲点２１ａを超えた時点でスプリング２１の弾性力により凸部１８を一側へ摺動させて第二のアーム部１９、第一のアーム部１７及びレンズカバー１２を全閉止側へ余勢する。なお、凸部１８の移動位置が屈曲点２１ａを超えない時点で操作ノブ３２のスライドを停止した場合には、スプリング２１の弾性力により凸部１８がスプリング２１を逆方向に摺動し、凸部１８を介して第二のアーム部１９、第一のアーム部１７及びレンズカバー１２を全開放側へ戻す。
【００３３】
又、レンズカバー１２を閉じるよう操作ノブ３２をスライドさせた際には、操作ノブ３２の押圧部３５がシャッタースイッチ２３の第一段目の押圧を開放してシャッタースイッチ２３を第一段目から押圧前まで戻し、レンズカバー開閉検出スイッチをＯＦＦ（ステップ１０５でＯＦＦ）にし、図２２のフローのように、通常待ち受け状態（ステップ１０１）に戻る。
【００３４】
このように、カメラ付き携帯端末１によれば、カメラ撮影する際には、開閉操作手段２６によりレンズカバー１２及びシャッタースイッチ２３を連続的に操作し得るので、一連の操作を別々に行うような手間を簡略化し、カメラ撮影の操作を容易に行うことができる。又、携帯端末を折り畳み状態から開き、更に特定のキー操作によりカメラモードにするような従来の操作を不要にすることができる。特に、自分自身を撮影するようセルフ撮影の場合には、手間を簡略化しているので、カメラ撮影を容易に行うことができる。更に、レンズカバー１２を独立して開放する操作をなくし、カメラ撮影の操作を迅速に行うことができる。更に又、レンズカバー１２を開放した際には、従来の特定のキーのように持ち替える必要がなく、そのままカメラ撮影をすることができる。
【００３５】
操作ノブ３２は、シャッタースイッチ２３を押し得るよう連動部材２７に対して回転可能に配置されると、レンズカバー１２を開放させてからシャッタースイッチ２３を押すまでの操作を更に連続的にするので、カメラ撮影の操作を一層容易に行うことができる。
【００３６】
携帯端末に、操作ノブ３２が位置する操作ノブ用プレート３６を備え、前記操作ノブ用プレート３６は、操作ノブ３２をスライド可能にする第一のスライド孔３７と、操作ノブ３２を連動部材２７に対して回転可能にする段差３９及び第二のスライド孔３８とを備えると、操作ノブ３２の操作を妨げることなく、好適に行い得るので、カメラ撮影の操作を容易且つ確実に行うことができる。
【００３７】
レンズカバー１２の開閉を検出するレンズカバー開閉検出スイッチを備えると、レンズカバー１２の開閉を好適に検出し得るので、カメラ撮影の操作を確実に行うことができる。
【００３８】
シャッタースイッチ２３は、レンズカバー開閉検出スイッチを兼用するよう構成されると、レンズカバー１２の開閉の検出とカメラ撮影を一つのスイッチで為し得るので、部品点数を削減し、製造コストを低減することができる。
【００３９】
操作ノブ３２は、スライドによりレンズカバー開閉検出スイッチを押し得るよう斜面形状の押圧部３５を備えると、操作ノブ３２をスライドさせることにより押圧部３５がレンズカバー開閉検出スイッチを押し得るので、レンズカバー１２の開閉の検出を容易に行うことができる。
【００４０】
尚、本発明のカメラ付き携帯端末は、上述の図示例にのみ限定されるものではなく、シャッター用のスイッチとレンズカバー開閉検出スイッチを分けて備えてもよいこと、携帯端末が、折り畳みタイプのみならず、ストレートタイプでもよいこと、その他、本発明の要旨を逸脱しない範囲内において種々変更を加え得ることは勿論である。
【００４１】
【発明の効果】
以上、説明したように本発明のカメラ付き携帯端末によれば、カメラ操作する際には、開閉操作手段によりレンズカバー及びシャッタースイッチを連続的に操作し得るので、操作を別々に行うような手間を簡略化し、カメラ撮影の操作を容易に行うことができるという優れた効果を奏し得る。
【図面の簡単な説明】
【図１】本発明のカメラ付き携帯端末における開閉操作手段の形態例を示す概略図である。
【図２】本発明を実施する形態例におけるカメラ付き携帯端末を示す斜視図である。
【図３】カメラ付き携帯端末においてレンズカバーを閉じた状態を示す正面図である。
【図４】カメラ付き携帯端末においてレンズカバーを開いた状態を示す正面図である。
【図５】カメラ付き携帯端末においてレンズカバーを閉じた状態を示す斜視図である。
【図６】筺体の内部においてレンズカバーを閉じた状態を示す斜視図である。
【図７】筺体の内部においてレンズカバーを開いた状態を示す斜視図である。
【図８】開閉操作手段、シャッタースイッチ、第一のアーム部、第二のアーム部及びスプリングを示す斜視図である。
【図９】連結部材と操作ノブの接続状態を示す斜視図である。
【図１０】連結部材とシャッタースイッチの配置状態を示す斜視図である。
【図１１】連結部材を示す斜視図である。
【図１２】操作ノブを示す斜視図である。
【図１３】操作ノブ用プレートを示す正面図である。
【図１４】操作ノブ用プレートを示す側面図である。
【図１５】筺体の内部においてレンズカバーを閉じた状態を示す拡大斜視図である。
【図１６】筺体の内部においてレンズカバーを開いた状態を示す拡大斜視図である。
【図１７】本発明を実施する形態例におけるカメラ付き携帯端末であって、レンズカバーが開いた際のレンズカバーと開閉操作部の位置を示す状態図である。
【図１８】本発明を実施する形態例におけるカメラ付き携帯端末であって、レンズカバーが閉じた際のレンズカバーと開閉操作部の位置を示す状態図である。
【図１９】操作ノブがシャッタースイッチの第一段目を押した状態を示す概略図である。
【図２０】操作ノブがシャッタースイッチの第一段目を押した状態を示す拡大概略図である。
【図２１】操作ノブがシャッタースイッチの第二段目を押す際の動きを示す概略図である。
【図２２】通常待ち受け状態とカメラモードの間を移行するフローを示す状態図である。
【符号の説明】
１ａ  撮像部
２      レンズ
１２      レンズカバー
２３      シャッタースイッチ
２６      開閉操作手段
２７      連動部材
３２      操作ノブ
３５      押圧部
３６      操作ノブ用プレート
３７      第一のスライド孔
３８      第二のスライド孔
３９      段差
【図１】
2005043437.tif 000003
【図２】
2005043437.tif 000004
【図３】
2005043437.tif 000005
【図４】
2005043437.tif 000006
【図５】
2005043437.tif 000007
【図６】
2005043437.tif 000008
【図７】
2005043437.tif 000009
【図８】
2005043437.tif 000010
【図９】
2005043437.tif 000011
【図１０】
2005043437.tif 000012
【図１１】
2005043437.tif 000013
【図１２】
2005043437.tif 000014
【図１３】
2005043437.tif 000015
【図１４】
2005043437.tif 000016
【図１５】
2005043437.tif 000017
【図１６】
2005043437.tif 000018
【図１７】
2005043437.tif 000019
【図１８】
2005043437.tif 000020
【図１９】
2005043437.tif 000021
【図２０】
2005043437.tif 000022
【図２１】
2005043437.tif 000023
【図２２】
2005043437.tif 000024